(57)【要約】      （修正有）【課題】クランプ付き全方位首ふり扇風機を提供する。【解決手段】取り付け面に取り付け部４が設置される台座１、台座１の支持面側に設置される扇風機本体２、及び、扇風機本体２と台座１との間に設置される首ふり主制御ユニット３を備え、取り付け部４の延伸方向に垂直な断面が円形、扇風機本体が円筒状であり、首ふり主制御ユニット３は、一部が取り付け部４内に設置される第１回転ユニット１０、及び、一端が扇風機本体２に回転可能に組み立てられ、他の部分が第１回転ユニット１０の回転端と固定して組み立てられ、第１回転ユニット１０とともに同期回転可能な第２回転ユニットを備える。この結果、扇風機本体が垂直方向の周りにスイングできるとともに、クライアント需要を満たすように、異なる風向需要に応じて扇風機本体の送風方向を調整可能とし、スイング範囲が広く、スイング効果が高く、適用範囲が広いという長所を有する。【選択図】図１
2020008021.tif 000002
【特許請求の範囲】
【請求項１】
クランプ付きの全方位首ふり扇風機であって、
取り付け面に取り付け面の垂直方向に沿って突出する取り付け部（４）が設置される台座（１）、
前記台座（１）の支持面側に設置され、使用者へ給風するための扇風機本体（２）、及び、
前記扇風機本体（２）と前記台座（１）との間に設置され、前記扇風機本体（２）が前記台座（１）に対して全方位に回転することを達成するための首ふり主制御ユニット（３）を備え、
前記取り付け部（４）の延伸方向に垂直な断面が円形であり、前記扇風機本体（２）が円筒状であり、前記首ふり主制御ユニット（３）は、
一部が前記取り付け部（４）内に設置され、前記扇風機本体（２）が前記取り付け部（４）の軸線の周りに回転することを達成するための第１回転ユニット（１０）、及び、
一端が前記扇風機本体（２）に回転可能に組み立てられ、他端が前記第１回転ユニット（１０）の回転端と固定して組み立てられ、前記第１回転ユニット（１０）とともに同期回転可能である第２回転ユニット（１１）であって、前記扇風機本体（２）がその水平直径の周りに回転することを達成するための第２回転ユニット（１１）を備えることを特徴とするクランプ付きの全方位首ふり扇風機。
【請求項２】
前記第２回転ユニット（１１）は、
前記扇風機本体（２）に回転可能に組み立てられる回転リング（１２）、
前記回転リング（１２）における、前記台座（１）に接近する一側に設置され、前記第１回転ユニット（１０）と組み立てるための軸受スリーブ（１３）、及び、
前記回転リング（１２）に設置され、前記扇風機本体（２）に回転可能に組み立てられ、前記扇風機本体（２）が前記回転リング（１２）に対して所定角度内で回転することを達成するための制限ユニット（１４）を備えることを特徴とする請求項１に記載のクランプ付きの全方位首ふり扇風機。
【請求項３】
前記扇風機本体（２）における、前記回転リング（１２）と組み立てられる位置に取り付け穴が設置され、前記制限ユニット（１４）は、
前記回転リング（１２）の直径方向に沿って突出して設置され、前記取り付け穴に回転可能に組み立てられる取り付け柱（１５）であって、前記回転リング（１２）から離れる一側にボス（１６）が設置される取り付け柱（１５）、
前記取り付け穴の内側壁における、前記回転リング（１２）から離れる一側に突出して設置される第１規制ストリップ（１７）、
及び、直径方向に沿って前記ボス（１６）に突出して設置され、前記第１規制ストリップ（１７）と嵌合するための第２規制ストリップ（１８）を備えることを特徴とする請求項２に記載のクランプ付きの全方位首ふり扇風機。
【請求項４】
前記取り付け穴の内側壁は波状に設置され、前記取り付け柱（１５）において、前記ボス（１６）と前記回転リング（１２）との間には、前記取り付け穴の内側壁と当接するための弾性部（１９）が設置されることを特徴とする請求項３に記載のクランプ付きの全方位首ふり扇風機。
【請求項５】
前記台座（１）に軸受内柱（２０）が設置され、前記軸受内柱（２０）と前記軸受スリーブ（１３）との間に軸受（２１）が設けられることを特徴とする請求項４に記載のクランプ付きの全方位首ふり扇風機。
【請求項６】
前記第１回転ユニット（１０）は、
前記台座（１）内に設置される動力源（２２）、
前記動力源（２２）の回転軸（３５）に取り付けられ、前記回転軸（３５）とともに同期回転可能な回転下部パレット（２３）、
前記取り付け部（４）内に回転可能に取り付けられ、前記回転下部パレット（２３）と取り外し可能に組み立てられ、前記第２回転ユニット（１１）が前記取り付け部（４）の軸線の方向の周りに回転するように駆動するための回転上部パレット（２４）、
前記台座（１）内に設置され、前記動力源（２２）をオンオフ制御するためのコントロールパネル（２５）、
及び、前記コントロールパネル（２５）に設置される首ふりスイッチ（２６）を備えることを特徴とする請求項５に記載のクランプ付きの全方位首ふり扇風機。
【請求項７】
前記回転下部パレット（２３）には挿入孔（２７）が設置され、前記回転上部パレット（２４）には前記挿入孔（２７）と組み立てられる挿着柱（２８）が設置されることを特徴とする請求項６に記載のクランプ付きの全方位首ふり扇風機。
【請求項８】
前記軸受スリーブ（１３）の外側壁に環形係止溝（２９）が設置され、前記回転下部パレット（２３）と前記軸受スリーブ（１３）との間には、一端が前記環形係止溝（２９）内に取り付けられ、他端が前記回転下部パレット（２３）に当接する固定締め付けリング（３０）が設置されることを特徴とする請求項７に記載のクランプ付きの全方位首ふり扇風機。
【請求項９】
前記回転上部パレット（２４）における、前記軸受スリーブ（１３）に外嵌される内側壁に減衰リング（３１）が設置されることを特徴とする請求項８に記載のクランプ付きの全方位首ふり扇風機。
【請求項１０】
前記回転上部パレット（２４）に第１制限ボス（３２）が設置され、前記軸受スリーブ（１３）には第２制限ボス（３３）が設置されることを特徴とする請求項９に記載のクランプ付きの全方位首ふり扇風機。
【発明の詳細な説明】
【技術分野】
【０００１】
本発明は電動ファンの技術分野に関し、特にクランプ付きの全方位首ふり風に関する。
【背景技術】
【０００２】
扇風機は、暑い日に風を生成して冷めるための道具であり、電気で駆動して気流を生成する装置であり、内部に配置されたブレードに通電した後ブレードを回転させて自然風を生成して涼むという効果を実現する。
【０００３】
従来のクランプ付きの電動ファンは、扇風機の給風均一性を向上させて、扇風機の温度低減効果を高めるように、ほとんど１つの向きにおける所定領域内において回転してスイングするしかできない。
【０００４】
上記構造は、所定領域内においてスイングすることができるが、回転角度が制限されるため、スイング範囲が小さく、スイング効果が低く、適用範囲が狭くなってしまい、従って改良する必要がある。
【発明の概要】
【発明が解決しようとする課題】
【０００５】
従来技術に存在する不備に対して、本発明の目的はクランプ付きの全方位首ふり扇風機を提供し、スイング範囲が広く、スイング効果が高く、適用範囲が広いという長所を有する。
【課題を解決するための手段】
【０００６】
本発明の上記目的は以下の技術案により達成される。
【０００７】
クランプ付きの全方位首ふり扇風機であって、取り付け面に取り付け面の垂直方向に沿って突出する取り付け部が設置される台座、前記台座の支持面側に設置され、使用者へ給風するための扇風機本体、及び、前記扇風機本体と前記台座との間に設置され、前記扇風機本体が前記台座に対して全方位に回転することを達成するための首ふり主制御ユニットを備え、前記取り付け部の延伸方向に垂直な断面が円形であり、前記扇風機本体が円筒状であり、前記首ふり主制御ユニットは、一部が前記取り付け部内に設置され、前記扇風機本体が前記取り付け部の軸線の周りに回転することを達成するための第１回転ユニット、及び、一端が前記扇風機本体に回転可能に組み立てられ、他の部分が前記第１回転ユニットの回転端と固定して組み立てられ、前記第１回転ユニットとともに同期回転可能である第２回転ユニットであって、前記扇風機本体がその水平直径の周りに回転することを達成するための第２回転ユニットを備えることを特徴とするクランプ付きの全方位首ふり扇風機。
【０００８】
上記技術案によれば、全方位首ふり扇風機を用いる場合、まず、設置される第２回転ユニットにより、扇風機本体がその水平直径軸方向の周りに回転することを達成し、それにより扇風機本体の送風方向を調整し、首ふり扇風機の使用範囲を広げ、次に、設置される第１回転ユニットにより、第２回転ユニットが取り付け部の軸線方向の周りに回転することを達成して、第１回転ユニットを垂直方向の周りにスイングさせることができ、それにより首ふり扇風機のスイング効果を高め、最後に、第１回転ユニットと第２回転ユニットの相互協働により、扇風機本体が垂直方向の周りにスイングできるとともに、クライアント需要を満たすように、異なる風向需要に応じて扇風機本体の送風方向を調整することができ、その結果、該首ふり扇風機はスイング範囲が広く、スイング効果が高く、適用範囲が広いという長所を有する。
【０００９】
更に、前記第２回転ユニットは、前記扇風機本体に回転可能に組み立てられる回転リング、前記回転リングにおける前記台座に接近する一側に設置され、前記第１回転ユニットと組み立てるための軸受スリーブ、及び、前記回転リングに設置され、前記扇風機本体に回転可能に組み立てられ、前記扇風機本体が前記回転リングに対して所定角度内で回転することを達成するための制限ユニットを備える。
【００１０】
上記技術案によれば、扇風機本体を回転リングに取り付けることで、扇風機本体がその水平直径の周りに回転することができ、使用者が異なる需要に応じて送風方向を調整することができ、それによりクライアント需要を満たし、適用範囲を広げ、クライアント体験を高める。軸受スリーブと回転上部パレットとの組み立てにより、回転リングが回転上部パレットの軸線の周りに回転することができ、このように回転して組合せることにより、扇風機が三次元空間内において全方位に給風することができ、扇風機の適用範囲を確保し、最後に制限ユニットにより扇風機本体が所定の角度範囲内で回転するように限定することにより、扇風機本体の回転角度が大きすぎるため、内部回路が折れてしまうという問題を防止する。
【００１１】
更に、前記扇風機本体における、前記回転リングと組み立てられる位置に取り付け穴が設置され、前記制限ユニットは、前記回転リングの直径方向に沿って突出して設置され、前記取り付け穴に回転可能に組み立てられる取り付け柱（１５）であって、前記回転リングから離れる一側にボスが設置される取り付け柱、前記取り付け穴の内側壁における、前記回転リングから離れる一側に突出して設置される第１規制ストリップ、及び、直径方向に沿って前記ボスに突出して設置され、前記第１規制ストリップと嵌合するための第２規制ストリップを備える。
【００１２】
上記技術案によれば、設置される第１規制ストリップと第２規制ストリップの相互協働により、扇風機本体が所定角度内で回転リングに対して回転することを達成し、設計が独創的で、シンプルである。
【００１３】
更に、前記取り付け穴の内側壁は波状に設置され、前記取り付け柱において、前記ボスと前記回転リングとの間には、前記取り付け穴の内側壁と当接するための弾性部が設置される。
【００１４】
上記技術案によれば、取り付け柱における弾性部が取り付け穴の内側壁と当接することで、扇風機本体が回転途中に回転後の任意の位置に止まることができ、扇風機本体が回転した後の固定問題を解決し、回転後の扇風機本体の使用効果を確保する。
【００１５】
更に、前記台座には、前記軸受スリーブとの間に軸受が設けられる軸受内柱が設置される。
【００１６】
上記技術案によれば、軸受スリーブと軸受内柱との間に軸受が設置されることで、軸受スリーブが軸受内柱と直接に接触摩擦することを避けて、軸受スリーブまたは軸受内柱の耐用年数を確保するとともに、軸受スリーブと軸受内柱の相対回転効果を高める。
【００１７】
更に、前記第１回転ユニットは、前記台座内に設置される動力源、前記動力源の回転軸に取り付けられ、前記回転軸とともに同期回転可能な回転下部パレット、前記回転下部パレットに固定して取り付けられる固定締め付けリング、前記取り付け部内に回転可能に取り付けられ、前記回転下部パレットと取り外し可能に組み立てられ、前記第２回転ユニットが前記取り付け部の軸線方向の周りに回転するように駆動するための回転上部パレット、前記台座内に設置され、前記動力源をオンオフ制御するためのコントロールパネル、及び、前記コントロールパネルに設置される首ふりスイッチを備える。
【００１８】
上記技術案によれば、首ふりスイッチをオンにし、コントロールパネルにより動力源をオン制御することで、動力源の回転軸と組み立てられる回転下部パレットが回転するように駆動し、更に回転上部パレットがそれとともに回転するように駆動し、扇風機本体と第２回転ユニットが取り付け部の軸線の周りに回転する目的を達成し、更にスイング効果を高めるとともに、設置される固定締め付けリングは第２回転ユニットが回転上部パレット内において回転するように限定することができ、第２回転ユニットが回転上部パレットから離脱するという問題を避ける。
【００１９】
更に、前記回転下部パレットに挿入孔が設置され、前記回転上部パレットには前記挿入孔と組み立てられる挿着柱が設置される。
【００２０】
上記技術案によれば、回転上部パレットと回転下部パレットは挿着柱により挿入孔と組み立てられ、構成が簡単で、達成しやすい。
【００２１】
更に、前記軸受スリーブの外側壁に環形係止溝が設置され、前記回転下部パレットと前記軸受スリーブとの間には、一端が前記環形係止溝内に取り付けられ、他端が前記回転下部パレットと当接する固定締め付けリングが設置される。
【００２２】
上記技術案によれば、環形係止溝と固定締め付けリングの組み立てにより、軸受スリーブを回転上部パレット内に限定し、軸受スリーブが回転上部パレットから離脱することを避け、軸受スリーブが正常に回転することを確保する。
【００２３】
更に、前記回転上部パレットにおける、前記軸受スリーブに外嵌される内側壁に減衰リングが設置される。
【００２４】
上記技術案によれば、減衰リングを設置することにより、軸受スリーブが第１回転ユニットの駆動下で第１回転ユニットとともに回転することができ、手動回転する際に軸受スリーブが回転後の任意の位置に止まることができ、首ふり扇風機の使用性を高める。
【００２５】
更に、前記回転上部パレットには第１制限ボスが設置され、前記軸受スリーブには第２制限ボスが設置される。
【００２６】
上記技術案によれば、設置される第１制限ボスと第２制限ボスの相互協働により、軸受スリーブの回転上部パレットに対する運動を所定角度に限定し、それによ、り軸受スリーブの回転角度が大きく過ぎるため、内部回路が折れてしまうという問題を防止する。
【発明の効果】
【００２７】
まとめると、本発明は以下の有益な効果を有する。
【００２８】
第１に、設置される第２回転ユニットにより、扇風機本体がその水平直径軸方向の周りに回転することを達成し、それにより扇風機本体の送風方向を調整し、首ふり扇風機の使用範囲を広げ、
第２に、第１回転ユニットと第２回転ユニットの相互協働により、扇風機本体が垂直方向の周りにスイングできるとともに、クライアント需要を満すように、異なる風向需要に応じて扇風機本体の送風方向を調整することができ、その結果、該首ふり扇風機はスイング範囲が広く、スイング効果が高く、適用範囲が広いとうい長所を有し、
第３に、軸受スリーブと回転上部パレットの組み立てにより、回転リングが回転上部パレットの軸線の周りに回転することができ、このように回転して組合せることで扇風機が三次元空間内で全方位に給風することができ、扇風機の適用範囲を確保し、
第４に、制限ユニットにより扇風機本体が所定の角度範囲内で回転するように限定することにより、扇風機本体の回転角度が大きすぎるため、内部回路が折れてしまうという問題を防止する。
【図面の簡単な説明】
【００２９】
【図１】本発明の実施例の全体構造の模式図である。
【図２】本発明の実施例の分解図である。
【図３】本発明の実施例における扇風機本体と第２回転ユニットの構造模式図である。
【図４】図３の細部Ａの拡大図である。
【発明を実施するための形態】
【００３０】
以下、図面を参照しながら、本考案をさらに詳細に説明する。
【００３１】
本具体的な実施例は本発明を解釈するものにすぎず、本発明を制限するためのものではない。当業者は、本明細書を読んだ後に、需要に応じて本実施例に対して進歩性のない補正を行うことができるが、本発明の請求の範囲内に属するものであれば、すべて特許法により保護されている。
【００３２】
本実施例はクランプ付きの全方位首ふり扇風機に関し、図１に示すように、台座１、扇風機本体２及び首ふり主制御ユニット３を備える。
【００３３】
台座１の取り付け面には、取り付け面の垂直方向に沿って突出し、首ふり主制御ユニット３と組み立てられるための取り付け部４が設置される。台座１の支持面側には、使用者へ給風するための扇風機本体２が設置される。扇風機本体２と台座１との間には、一端が扇風機本体２に回転可能に組み立てられ、他端が台座１と組み立てられ、扇風機本体２が台座１に対して全方位に回転することを達成するための首ふり主制御ユニット３が設置される。
【００３４】
図１、２に示すように、本実施例においては、台座１は、クランプ底部ケース５、クランプ上部ケース６、トーションバネ７、電池台座８及び電池カバー９を備えるクランプ台座である。クランプ台座は、首ふり扇風機をその他の物に挟持固定することに用いられる。首ふり主制御ユニット３の一部がクランプ底部ケース５内に取り付けられ、クランプ上部ケース６がクランプ底部ケース５と組み立てられ、それにより第１回転ユニット１０がクランプ底部ケース５内に固定して取り付けられ、クランプ上部ケースには、扇風機本体２をオンオフ制御するための扇風機スイッチ３４が設置される。電池台座８が回転軸によりクランプ底部ケース５に回転可能に組み立てられ、回転軸には、一端がクランプ底部ケース５と当接し、他端が電池台座８と当接し、クランプ底部ケース５と電池台座８との間のリセットを達成するためのトーションバネ７が嵌設される。電池台座８には電池収容キャビティが設置され、電池台座８には電池収容キャビティを開閉するための電池カバー９が設置される。取り付け部４の延伸方向に垂直な断面が円形であり、扇風機本体２が円筒状である。その他実施例においては、台座１は円盤台座１であってもよく、扇風機本体２は直方体形状であってもよい。
【００３５】
図２、３、４に示すように、首ふり主制御ユニット３は、第１回転ユニット１０及び第２回転ユニット１１を備える。第１回転ユニット１０の一部は取り付け部４内に設置され、第１回転ユニット１０は、扇風機本体２が取り付け部４の軸方向の周りに回転することを達成するためのものである。第２回転ユニット１１の一端が扇風機本体２に回転可能に組み立てられ、第２回転ユニット１１の他の部分が第１回転ユニット１０の回転端と固定して組み立てられ、第２回転ユニット１１は、第１回転ユニット１０とともに同期回転することができ、扇風機本体２がその水平直径の周りに回転することを達成することに用いられる。
【００３６】
図２、３、４に示すように、第２回転ユニット１１は、回転リング１２、軸受スリーブ１３及び制限ユニット１４を備える。回転リング１２が扇風機本体２に回転可能に組み立てられる。軸受スリーブ１３が回転リング１２における台座１に接近する一側に設置され、軸受スリーブ１３が第１回転ユニット１０に回転可能に取り付けられる。制限ユニット１４は、回転リング１２に設置され、扇風機本体２に回転可能に組み立てられる。制限ユニット１４は、前記扇風機本体２が回転リング１２に対して所定角度内で回転することを達成することに用いられる。
【００３７】
本実施例においては、回転リング１２は半円環状であり、回転途中に扇風機本体２を回転後の任意の位置に止められて、扇風機本体２の使用効果を確保するために、取り付け穴の内側壁が波状に設置され、取り付け柱１５において、ボス１６と回転リング１２との間には、取り付け穴の内側壁と当接するための、プラスチック製弾性絶縁柱である弾性部１９が設置される。軸受スリーブ１３が軸受内柱２０と直接に接触摩擦することを避けて、軸受スリーブ１３または軸受内柱２０の耐用年数を確保するとともに、軸受スリーブ１３と軸受内柱２０との相対回転効果を高めるために、台座１に軸受内柱２０が設置され、軸受内柱２０と軸受スリーブ１３との間に軸受２１が設けられる。
【００３８】
図３、４に示すように、扇風機本体２において、回転リング１２と組み立てられる位置に取り付け穴が設置され、制限ユニット１４は、取り付け柱１５、第１規制ストリップ１７及び第２規制ストリップ１８を備える。取り付け柱１５が回転リング１２の直径方向に沿って突出して設置され、取り付け柱１５が取り付け穴に回転可能に組み立てられ、取り付け柱１５における、回転リング１２から離れる一側にボス１６が設置され、第１規制ストリップ１７は、取り付け穴の内側壁における、回転リング１２から離れる一側に突出して設置される。第２規制ストリップ１８が直径方向に沿ってボス１６に突出して設置され、第２規制ストリップ１８が第１規制ストリップ１７と嵌合するためのものである。本実施例においては、第１規制ストリップ１７と第２規制ストリップ１８はいずれも直方体形状であり、その他の実施例においては、第１規制ストリップ１７と第２規制ストリップ１８はいずれも楕球状である。
【００３９】
図１、２に示すように、第１回転ユニット１０は、動力源２２、回転下部パレット２３、回転上部パレット２４、コントロールパネル２５及び首ふりスイッチ２６を備える。台座１内には、第１回転ユニット１０の自動回転へ動力を提供するための動力源２２が設置される。回転下部パレット２３が動力源２２の回転軸３５に取り付けられ、回転軸３５とともに同期回転することができる。取り付け部４内には、回転下部パレット２３と取り外し可能に組み立てられ、第２回転ユニット１１が取り付け部４の軸線方向の周りに回転するように駆動するための回転上部パレット２４が回転可能に取り付けられる。台座１内には、動力源２２をオンオフ制御するためのコントロールパネル２５が設置される。コントロールパネル２５に首ふりスイッチ２６が設置される。
【００４０】
図１、２に示すように、本実施例においては、回転上部パレット２４と回転下部パレット２３の取り付け容易さと安定性を確保するために、回転下部パレット２３には挿入孔２７が設置され、回転上部パレット２４には挿入孔２７と組み立てられる挿着柱２８が設置される。動力源２２は双方向低速モータであり、双方向低速モータが回転すると、回転下部パレット２３と回転上部パレット２４とが摩擦したり緩んだりし、且つ摩擦の時にパウダーを生成し、回転下部パレット２３が破損する現象を引き起こすので、回転下部パレット２３が金属材料で製造され、それにより回転下部パレット２３の耐用年数を延長させる。軸受スリーブ１３が回転上部パレット２４から離脱することを避け、軸受スリーブ１３の正常動作を確保するために、軸受スリーブ１３の外側壁に環形係止溝２９が設置され、回転下部パレット２３と軸受スリーブ１３との間には、一端が環形係止溝２９内に取り付けられ、他端が回転下部パレット２３と当接する固定締め付けリング３０が設置される。
【００４１】
軸受スリーブ１３を第１回転ユニット１０の駆動下で第１回転ユニット１０とともに回転可能にし、手動回転際に軸受スリーブ１３を回転後の任意の位置に止められて、首ふり扇風機の使用性を高めるために、回転上部パレット２４における、軸受スリーブ１３に外嵌される内側壁に減衰リング３１が設置される。軸受スリーブ１３の回転角度が大きすぎるため、内部回路が折れてしまうという問題を防止するために、回転上部パレット２４には第１制限ボス３２が設置され、軸受スリーブ１３には第２制限ボス３３が設置され、第１制限ボス３２と第２制限ボス３１はいずれも直方体形状である。
【００４２】
本実施例の設計原理の略述は以下のとおりである。まず、設置される第２回転ユニット１１により、扇風機本体２がその水平直径の周りに回転することを達成し、それにより扇風機本体２の送風方向を調整し、首ふり扇風機の使用範囲を広げ、次に、設置される第１回転ユニット１０により、第２回転ユニット１１が取り付け部４の軸線方向の周りに回転することを達成して、第１回転ユニット１０を垂直方向の周りにスイングさせることができ、それにより首ふり扇風機のスイング効果を高め、最後に、第１回転ユニット１０と第２回転ユニット１１の相互協働により、扇風機本体２が垂直方向の周りにスイングできるとともに、クライアント需要を満たすように、異なる風向需要に応じて扇風機本体２の送風方向を調整することができ、その結果、該首ふり扇風機はスイング範囲が広く、スイング効果が高く、適用範囲が広いという長所を有する。
【符号の説明】
【００４３】
１、台座、２、扇風機本体、３、首ふり主制御ユニット、４、取り付け部、５、クランプ底部ケース、６、クランプ上部ケース、７、トーションバネ、８、電池台座、９、電池カバー、１０、第１回転ユニット、１１、第２回転ユニット、１２、回転リング、１３、軸受スリーブ、１４、制限ユニット、１５、取り付け柱、１６、ボス、１７、第１規制ストリップ、１８、第２規制ストリップ、１９、弾性部、２０、軸受内柱、２１、軸受、２２、動力源、２３、回転下部パレット、２４、回転上部パレット、２５、コントロールパネル、２６、首ふりスイッチ、２７、挿入孔、２８、挿着柱、２９、環形係止溝、３０、固定締め付けリング、３１、減衰リング、３２、第１制限ボス、３３、第２制限ボス、３４、扇風機スイッチ、３５、回転軸。
【図１】
2020008021.tif 000003
【図２】
2020008021.tif 000004
【図３】
2020008021.tif 000005
【図４】
2020008021.tif 000006